(57)【特許請求の範囲】
【請求項１】
下地材（２）と、押え部（１６ａ）とその下面に突出する係合部（１６ｂ）を有するスプリングジョイナー（１６）と、前記下地材（２）に形成された溝（６）に嵌合配置され両側の上位水平部が前記下地材（２）の上面に固着されたガーター（１０）と、該ガーター（１0）内に固定配置され前記スプリングジョイナー（１６）の係合部（１６ｂ）に係合自在な係合受部（１２ｂ）と該係合受部（１２ｂ）の両側に形成された板受け部を有するキーパー（１２）と、前記下地材（２）の上面に前記ガーター（１０）を境として複数隣接して配置され側部が前記キーパー（１２）の板受け部とスプリングジョイナー（１６）の押え部（１６ａ）とで挟持された金属製の屋根板（１４）と、前記屋根板（１４）上に前記スプリングジョイナー（１６）に対して直角に複数配置されフランジ部が前記スプリングジョイナー（１６）の押え部（１６ａ）の中央にビス止めされた土止め用のチャンネル部材（１８）と、前記屋根板（１４）上に配置された通気性シート（２２）と、前記通気性シート（２２）の上から前記チャンネル部材（１８）間に嵌合配置された網状の金属板（２４）とを備え、前記屋根板（１４）の上に土壌（２６）を盛り、この土壌（２６）に芝生（２８）などの植物を植えるようにしたことを特徴とする植物育成屋根。
【発明の詳細な説明】
【０００１】
【発明の属する技術分野】
本発明は、芝生などを植えた植物育成屋根に関する。
【０００２】
【従来の技術】
芝生などの植物を屋根板上で育成できるようにした屋根が、特開平９−１３２９５４号公報及び特開平９−１４４２３３号公報に開示されている。
【０００３】
【発明が解決しようとする課題】
従来の芝育成屋根は、いずれも屋根板は、下地材にしっかりとビス止めされた吊子に結合している。そのため、屋根板は、吊子を介して下地材上に強固支持される。しかしながら、下地板に吊子をビス止めする構造はコスト高となるとともに施行に時間がかかるという問題点がある。その点、スプリングジョイナーにより屋根板を結合する方式は、吊子を用いないため、安価であるが屋根板の支持力が弱い。そのため、屋根板に、土の崩れを防止するための土止め材を直接ビス止めすると、土止め材にかかる負荷によって屋根板がずれたり、あるいは、屋根板と土止め材との間のビス止め固定部から雨漏りが生じる恐れがある。
本発明は、上記問題点を解決することを目的とするものである。
【０００４】
【課題を解決するための手段】
上記目的を達成するため、本発明は、下地材２と、押え部１６ａとその下面に突出する係合部１６ｂを有するスプリングジョイナー１６と、前記下地材２に形成された溝６に嵌合配置され両側の上位水平部が前記下地材２の上面に固着されたガーター１０と、該ガーター１0内に固定配置され前記スプリングジョイナー１６の係合部１６ｂに係合自在な係合受部１２ｂと該係合受部１２ｂの両側に形成された板受け部を有するキーパー１２と、前記下地材２の上面に前記ガーター１０を境として複数隣接して配置され側部が前記キーパー１２の板受け部とスプリングジョイナー１６の押え部１６ａとで挟持された金属製の屋根板１４と、前記屋根板１４上に前記スプリングジョイナー１６に対して直角に複数配置されフランジ部が前記スプリングジョイナー１６の押え部１６ａの中央にビス止めされた土止め用のチャンネル部材１８と、前記屋根板１４上に配置された通気性シート２２と、前記通気性シート２２の上から前記チャンネル部材１８間に嵌合配置された網状の金属板２４とを備え、前記屋根板１４の上に土壌２６を盛り、この土壌２６に芝生２８などの植物を植えるようにしたものである。
【０００５】
【発明の実施の形態】
以下に本発明の実施の形態を、添付した図面を参照して詳細に説明する。
２は建物の屋根の下地材であり、合板などから構成され、垂木４により支持されている。前記下地材２には緩やかな勾配が形成され、この勾配に沿って、下地材２の上面には所定の深さと幅を有する溝６が所定の間隔を存して複数形成されている。下地材２の上にはアスファルトルーフィングから成る防水シート８が敷設され、該防水シート８の上から前記溝６内にガーター１０が嵌合配置されている。
【０００６】
ガーター１０の上位水平部はビスによって下地材２に固定されている。前記ガーター１０内にキーパー１２が配置され、キーパー１２の底部は、ガーター１０に対して浮上しないようにガーター１０に溶接等により固着あるいは係合している。
【０００７】
前記キーパー１２は、鋼板などの金属板から成り、上部に形成された板受け部上部と、係合受け部１２ａとを備えている。１６はスプリングジョイナーであり、前記ガーター１０と略同長の鋼板などの金属板から成り、所定幅の帯状の押え部１６ａと、前記係合受け部１２ａに係合するための係合部１６ｂとを備えている。１４は屋根板であり、鋼板その他の金属板により構成されている。
【０００８】
２２は防水シート、２４は多数の小孔が網状に形成された金属板、１８は土止め用のチャンネル部材材であり、図２に示すように、横コ字状の凸部と、フランジ部１８ａを有し、全体が鋼板などの金属板により構成されている。
【０００９】
複数の屋根板１４は、ガーター１０を境として、下地材２上で互いに隣接配置されている。隣接する一対の屋根板１４の、互いに対向する側縁は、対応するキーパー１２の板受け部に載置されている。該状態において、スプリングジョイナー１６の係合部１６ｂｂが、キーパー１２の係合受け部１２ａに係合され、隣接する一対の屋根板１４の側縁は、スプリングジョイナー１６の押え部１６ａの下面とキーパー１２の板受け部の上面とで挟持される。
【００１０】
スプリングジョイナー１６の係合部１６ｂを、キーパー１２の係合受け部１２ａに挿入すると、係合部１６ｂのフックが係合受け部１２ａのＶ溝に引っかかり、この係合により、係合部１６ｂの、係合受け部１２ａに対する抜脱が阻止されるように構成されている。上記屋根板１４の上には、前記スプリングジョイナー１６に対して直角の方向に該スプリングジョイナー１６を横切ってチャンネル部材１８が複数、所定の間隔を存して配置されている。
【００１１】
チャンネル部材１８の固着力を強くするため、チャンネル部材１８のフランジ部即ち下位水平部１８ａは、ビス２０によりスプリングジョイナー１６の帯状の押え部１６ａの幅方向の中央部に固着されている。前記屋根板１４の上には、図２に示すように通気性シート２２が敷設されている。更に、通気性シートの上からチャンネル部材１８間に金属板２４が嵌合配置されている。更に、屋根板１４上には、金属板２４の上から土壌２６が盛られ、この土壌２６に芝生２８が植栽されている。
【００１２】
上記した構成において、土壌２６に植えられた芝生２８の根は金属板２４の網目にからみ、しっかりと土壌２６に根付くことができる。また、屋根板１４の上に盛られた土壌２６は、チャンネル部材１８により規制されるので屋根板１４の上で崩れることがなく、しっかりと止められる。また、チャンネル部材１８は、スプリングジョイナー１６の押え部１６ａの中央にビス止めされるので、屋根板１４上でずれることがない。
【００１３】
更に、チャンネル部材１８とスプリングジョイナー１６とのビス止め部から雨水が漏れても、この雨水は、キーパー１２内に収められるので、雨漏りの恐れがない。
【００１４】
【発明の効果】
本発明は上述の如く、土止め用のチャンネル部材をスプリングジョイナーの押え部の中央にビス止めするようにしたので、チャンネル部材をしっかりと屋根板上に支持させることができるとともに、雨漏りを防止することができる。しかも網状の金属板に植物の根をからませることができるので植物を土壌にしっかりと根付かせることができる等の効果が存する。
【図面の簡単な説明】
【図１】本発明の断面図である。
【図２】本発明の要部の外観説明図である。
【符号の説明】
２      下地材
４      垂木
６      溝
８      防水シート
１０    ガーター
１２    キーパー
１４    屋根板
１６    スプリングジョイナー
１６ａ  押え部
１６ｂ  係合部
１８    チャンネル部材
１８ａ  下位水平部
２０    ビス
２２    通気性シート
２４    金属板
２６    土壌
２８    芝生
【図１】
0004312297.tif 000002
【図２】
0004312297.tif 000003